(57)【特許請求の範囲】
【請求項１】
複数のＬＥＤを搭載したＬＥＤ基板と、前記ＬＥＤから出射される光の配光を制御するインナレンズと、これらのＬＥＤ基板及びインナレンズを収容するハウジングを備えて成る照明装置において、
前記ＬＥＤ基板及び／又は前記インナレンズをエーミング機構によってハウジングに対して移動可能に支持し、
前記ハウジングに回転可能な少なくとも３本のエーミング調整ネジを回転可能に設けるとともに、該エーミング調整ネジを前記ＬＥＤ基板又は前記インナレンズに螺合挿通させ、
前記エーミング調整ネジを回すことで、前記ＬＥＤ基板又は前記インナレンズを前記ハウジングに対して上下動させることを特徴とする照明装置。
【請求項２】
複数の前記ＬＥＤを選択的に発光させるスイッチ機構を設けたことを特徴とする請求項１記載の照明装置。
【発明の詳細な説明】
【技術分野】
【０００１】
本発明は、光源として複数のＬＥＤを使用した車両用ルームランプ等の照明装置に関するものである。
【背景技術】
【０００２】
例えば、車両の天井に設置されるルームランプとして、光源及びレンズを備える光源部を回転させることによって照射方向を変更可能としたものが特許文献１等において提案されている。斯かるルームランプは、光源部を互いに直交する２つの回転軸を中心として回転可能に支持することによって照射方向を自由に変更することができるようにしている。
【先行技術文献】
【特許文献】
【０００３】
【特許文献１】特開２００９−０８３７９２号公報
【発明の概要】
【発明が解決しようとする課題】
【０００４】
しかしながら、上記従来のルームランプにおいては、光源部を互いに直交する２つの回転軸を中心として回転させる機構が必要であるために部品点数が増える他、厚さが厚くなって全体に大型化するという問題があった。
【０００５】
又、複数の光源を用いたタイプにあっては、決められた場所への配光しかできず、可動部品の形状や可動領域に制限があるため、照射領域を特定する場合には光源の配置が制限されるという問題もあった。
【０００６】
本発明は上記問題に鑑みてなされたもので、その目的とする処は、部品点数の削減と薄型化を図ることができるとともに、ＬＥＤのＬＥＤ基板上への設置位置に制限を受けることなく照射領域及び照射方向を自由に調整することができる照明装置を提供することにある。
【課題を解決するための手段】
【０００７】
上記目的を達成するため、本発明は、複数のＬＥＤを搭載したＬＥＤ基板と、前記ＬＥＤから出射される光の配光を制御するインナレンズと、これらのＬＥＤ基板及びインナレンズを収容するハウジングを備えて成る照明装置において、
前記ＬＥＤ基板及び／又は前記インナレンズをエーミング機構によってハウジングに対して移動可能に支持し、
前記ハウジングに回転可能な少なくとも３本のエーミング調整ネジを回転可能に設けるとともに、該エーミング調整ネジを前記ＬＥＤ基板又は前記インナレンズに螺合挿通させ、
前記エーミング調整ネジを回すことで、前記ＬＥＤ基板又は前記インナレンズを前記ハウジングに対して上下動させることを特徴とする。
【０００９】
請求項２記載の発明は、請求項１記載の発明において、複数の前記ＬＥＤを選択的に発光させるスイッチ機構を設けたことを特徴とする。
【発明の効果】
【００１０】
請求項１記載の発明によれば、エーミング調整ネジを回してＬＥＤ基板又はインナレンズをハウジングに対して移動させることによって多彩な配光を得ることができ、照射領域及び照射方向を自由に調整することができる。例えば、全てのエーミング調整ネジを同一方向に同一量だけ回わしてＬＥＤ基板又はインナレンズをハウジングに対して平行移動させれば照射領域を拡大又は縮小させることができ、エーミング調整ネジの回転方向又は回転量を互いに異ならせてＬＥＤ基板又はインナレンズをハウジングに対して傾ければ照射方向を変更することができる。この場合、ＬＥＤ基板やインナレンズを２軸回りに回転させる必要がないため、構造が単純化して部品点数が削減されるとともに、大きな厚みを必要としないために装置の薄型化が可能となる。又、エーミング機構によって照射領域を自由に調整することができるため、ＬＥＤのＬＥＤ基板上への設置位置が制限を受けることがない。
【００１１】
請求項２記載の発明によれば、複数のＬＥＤをスイッチ機構によって選択的に発光させ、例えば１つのＬＥＤを発光させればスポットランプとして機能させることができ、多数のＬＥＤを同時に発光させれば広範囲を照らすことができる。
【図面の簡単な説明】
【００１２】
【図１】本発明の実施の形態１に係る照明装置のＬＥＤ基板下降時の状態を示す側断面図である。
【図２】本発明の実施の形態１に係る照明装置の平面図である。
【図３】本発明の実施の形態１に係る照明装置のＬＥＤ基板上昇時の状態を示す側断面図である。
【図４】本発明の実施の形態２に係る照明装置のインナレンズ上昇時の状態を示す側断面図である。
【図５】本発明の実施の形態２に係る照明装置のインナレンズ下降時の状態を示す側断面図である。
【図６】本発明の実施の形態２に係る照明装置のインナレンズ水平時の状態を示す側断面図である。
【図７】本発明の実施の形態２に係る照明装置のインナレンズ傾斜時の状態を示す側断面図である。
【発明を実施するための形態】
【００１３】
以下に本発明の実施の形態を添付図面に基づいて説明する。
【００１４】
＜実施の形態１＞
図１は本発明の実施の形態１に係る照明装置のＬＥＤ基板下降時の状態を示す側断面図、図２は同照明装置の平面図、図３は同照明装置のＬＥＤ基板上昇時の状態を示す側断面図である。
【００１５】
本実施の形態１に係る照明装置１は、車両の天井に設置されるルームランプであって、上方が開口する有底筒状のハウジング２内には光源として３つのＬＥＤ３ａ，３ｂ，３ｃが搭載された円板状のＬＥＤ基板４がエーミング機構によって上下動可能に支持されて収容されている。そして、ハウジング２の底部中心部にはレンズ５が配されており、レンズ５にはレンズカット等の適当な配光処理がなされている。
【００１６】
調整ネジ７とＬＥＤ基板４及びインナレンズ６の固定については、先ず調整ネジ７とハウジング２の底部を例えばＥリング等で固定した後、調整ネジ７を差し込むことができるように孔が設けられたＬＥＤ基板４及びインナレンズ６に調整ネジ７を挿通する。そして、ＬＥＤ基板４やインナレンズ６を樹脂部材等で調整ネジ７と固定し、調整ネジ７を回すことによってＬＥＤ基板４やインナレンズ６の位置を可動とする。
【００１７】
ところで、前記ＬＥＤ基板４には３つのＬＥＤ３ａ〜３ｃが横方向（図１の左右方向）に適当な間隔を隔てて実装されており、これらのＬＥＤ３ａ〜３ｃは透明なインナレンズ６によって下方から覆われている。又、前記エーミング機構は、ハウジング２の底部を下方から垂直上方に貫通する４本のエーミング調整ネジ７を有しており、図２に示すように、４本のエーミング調整ネジ７は同一円周上を等角度ピッチ（９０°ピッチ）で配されており、各エーミング調整ネジ７には前記ＬＥＤ基板４が螺合挿通している。尚、図示しないが、本実施の形態に係る照明装置１には３つのＬＥＤ３ａ〜３ｃを選択的に発光させるスイッチ機構が設けられている。
【００１８】
而して、以上のように構成された照明装置１において、３つのＬＥＤ３ａ〜３ｃが同時に駆動されると、各ＬＥＤ３ａ〜３ｃからの光Ｌ１，Ｌ２，Ｌ３はインナレンズ６及びレンズ５によって配光が制御されて図示のように円形のスポットエリアＡ１，Ａ２，Ａ３をそれぞれ照射し、全体としてこれらのスポットエリアＡ１〜Ａ３を包絡した最大照射エリアＡmax を照らす。
【００１９】
ところで、エーミング機構の４本のエーミング調整ネジ７を同一方向に同一量（同一回数）だけ回すことによってＬＥＤ基板４がハウジング２内を水平を保って上下動するが、４本のエーミング調整ネジ７を同一回数だけねじ込んでＬＥＤ基板４を図１に示すように下降させると、各スポットエリアＡ１〜Ａ３が左右に広がって最大照射エリアＡmax が拡大する。又、逆に４本のエーミング調整ネジ７を同一回数だけ緩めてＬＥＤ基板４を図３に示すように上昇させると、各スポットエリアＡ１〜Ａ３が左右において互いに近づいて一部がオーバーラップし、最大照射エリアＡmax が縮小する。
【００２０】
そして、図１又は図３に示す状態において、不図示のスイッチ機構によって例えば１つのＬＥＤ３ａだけを発光させると、光Ｌ１によって１つのスポットエリアＡ１のみが照らされ、当該照明装置１はスポットランプとして機能する。
【００２１】
以上のように、本実施の形態に係る照明装置１によれば、エーミング機構のエーミング調整ネジ７を回してＬＥＤ基板４をハウジング２に対して上下動させることによって多彩な配光を得ることができ、最大照射エリアＡmax を拡大又は縮小して照射領域を自由に調整することができる。この場合、ＬＥＤ基板４を２軸回りに回転させる必要がないため、構造が単純化して部品点数が削減されるとともに、大きな厚みを必要としないために照明装置１の薄型化が可能となる。
【００２２】
そして、本実施の形態のように照明装置１を車両用ルームランプとして使用する場合、車室内の取付高さが変化した場合であっても、エーミング機構によるＬＥＤ基板４の高さ調整によって同じ配光を得ることができるため、車種には関係なく照明装置１を設置することができる。
【００２３】
又、本実施の形態に係る照明装置１によれば、前述のようにエーミング機構によって照射領域を自由に調整することができるため、ＬＥＤ３ａ〜３ｃのＬＥＤ基板４上への設置位置が制限を受けることがない。
【００２４】
＜実施の形態２＞
次に、本発明の実施の形態２を図４〜図７に基づいて説明する。
【００２５】
図４は本発明の実施の形態２に係る照明装置のインナレンズ上昇時の状態を示す側断面図、図５は同照明装置のインナレンズ下降時の状態を示す側断面図、図６は同照明装置のインナレンズ水平時の状態を示す側断面図、図７は同照明装置のインナレンズ傾斜時の状態を示す側断面図であり、これらの図においては図１〜図３において示したものと同一要素には同一符号を付しており、以下、それらについての説明は省略する。
【００２６】
本実施の形態に係る照明装置１においては、３つのＬＥＤ３ａ〜３ｃが実装されたＬＥＤ基板４がハウジング２の上面開口部を覆うように固定されており、このＬＥＤ基板４とハウジング２の底部との間にエーミング機構の４本のエーミング調整ネジ７が回転可能に挿通している。
【００２７】
そして、ハウジング２内にはインナレンズ８が収容されており、このインナレンズ８には前記４本のエーミング調整ネジ７が螺合挿通している。
【００２８】
而して、以上のように構成された照明装置１において、３つのＬＥＤ３ａ〜３ｃが同時に駆動されると、各ＬＥＤ３ａ〜３ｃからの光Ｌ１，Ｌ２，Ｌ３はインナレンズ８とレンズ５によって配光が制御されて図示のように円形のスポットエリアＡ１，Ａ２，Ａ３をそれぞれ照射し、全体としてこれらのスポットエリアＡ１〜Ａ３を包絡した最大照射エリアＡmax を照らす。
【００２９】
ところで、エーミング機構の４本のエーミング調整ネジ７を同一方向に同一量（同一回数）だけ回すことによってインナレンズ８がハウジング２内を水平を保って上下動するが、４本のエーミング調整ネジ７を同一回数だけ緩めてインナレンズ８を図４に示すように上昇させると、各スポットエリアＡ１〜Ａ３が左右に広がって最大照射エリアＡmax が拡大する。又、逆に４本のエーミング調整ネジ７を同一回数だけねじ込んでインナレンズ８を図５に示すように下降させると、各スポットエリアＡ１〜Ａ３が左右において互いに近づいて一部がオーバーラップし、最大照射エリアＡmax が縮小する。
【００３０】
又、図６に示すようにインナレンズ８が水平に保たれている状態から４本のエーミング調整ネジ７の回転方向又は回転量を互いに異ならせてインナレンズ８を例えば図７に示すように水平に対して所定角度だけ傾斜させれば照射方向を変更することができ、最大照射エリアＡmax の中心を垂直に対して傾けることができる。
【００３１】
そして、図４〜図７に示す状態において、不図示のスイッチ機構によって例えば１つのＬＥＤ３ａだけを発光させると、光Ｌ１によって１つのスポットエリアＡ１のみが照らされ、当該照明装置１はスポットランプとして機能する。
【００３２】
以上のように、本実施の形態に係る照明装置１によれば、エーミング機構のエーミング調整ネジ７を回してインナレンズ８をハウジング２に対して上下動させることによって多彩な配光を得ることができ、最大照射エリアＡmax を拡大又は縮小して照射領域を自由に調整することができる。又、エーミング調整ネジ７の回転方向又は回転量を互いに異ならせてインナレンズ８を水平に対して傾ければ照射方向を変更することができる。この場合、インナレンズ８を２軸回りに回転させる必要がないため、構造が単純化して部品点数が削減されるとともに、大きな厚みを必要としないために照明装置１の薄型化が可能となる。
【００３３】
そして、本実施の形態のように照明装置１を車両用ルームランプとして使用する場合、車室内の取付高さが変化した場合であっても、エーミング機構によるインナレンズ８の高さ調整によって同じ配光を得ることができるため、車種には関係なく照明装置１を設置することができる。
【００３４】
尚、実施の形態１，２では、ＬＥＤ基板４とインナレンズ８の調整に対して４本のエーミング調整ネジ７を用いたが、本発明では、ＬＥＤ基板４及びインナレンズ６のそれぞれを３次元的に調整できれば良く、ＬＥＤ基板４、インナレンズ８の何れかを可動させるためには、少なくとも３本のエーミング調整ネジ７があれば良い。
【００３５】
又、本実施の形態に係る照明装置１によれば、前述のようにエーミング機構によって照射領域を自由に調整することができるため、ＬＥＤ３ａ〜３ｃのＬＥＤ基板４上への設置位置が制限を受けることがない。
【００３６】
尚、実施の形態１，２としてＬＥＤ基板４とインナレンズ８の何れかをエーミング調整ネジ７を回すことによってハウジング２に対して上下動させるようにしたが、実施の形態３として、ＬＥＤ基板４とインナレンズ８のそれぞれを調整するエーミング調整ネジを設け、ＬＥＤ基板４とインナレンズ８のそれぞれを調整するエーミング調整ネジ７の回転方向又は回転量を異ならせることによって、ＬＥＤ基板４とインナレンズ８をハウジング２に対して上下動させたり、ＬＥＤ基板４とインナレンズ８を異なる角度に傾けることによって、実施の形態１，２では照射できない領域に照射することが可能となり、より自由な配光照明装置が可能となる。又、実施の形態１，２と同様に本実施の形態では、照明装置１を車両用ルームランプとして使用する場合、車室内の取付高さが変化した場合であっても、エーミング機構によるインナレンズ８の高さ調整によって同じ配光を得ることができるため、車種には関係なく照明装置１を設置することができる。
【産業上の利用可能性】
【００３７】
本発明は、自動車、航空機、列車、船舶、建築、住居、オフィス、各種施設等のインテリア及びエクステリアと使用される照明装置に対して適用可能であって、照明装置は、座席、天井、ドア、壁、その他の製品内で等、厚みに制約を受ける箇所への設置も可能である。
【符号の説明】
【００３８】
１          照明装置
２          ハウジング
３ａ〜３ｃ  ＬＥＤ
４          ＬＥＤ基板
５          レンズ
６          インナレンズ
７          エーミング調整ネジ
８          インナレンズ
Ａ１〜Ａ３  スポットエリア
Ａmax       最大照射エリア
Ｌ１〜Ｌ３  光
【図１】
0005543787.tif 000002
【図２】
0005543787.tif 000003
【図３】
0005543787.tif 000004
【図４】
0005543787.tif 000005
【図５】
0005543787.tif 000006
【図６】
0005543787.tif 000007
【図７】
0005543787.tif 000008